(57)【要約】【課題】有利な取引システム、および、その取引方法を提供する。【解決手段】本発明は、アプリケーションサーバを利用して実行する有利な取引システム、および、その取引方法を開示し、アプリケーションサーバ信号は、複数の取引サーバと少なくともひとつの移動設備を接続し、移動設備は、アプリケーションサーバに対応するアプリケーションプログラムを組み込んでいる。まず、アプリケーションサーバは、アプリケーションプログラムを利用して、移動設備のディスプレイ上で、実体商店の相関情報を表示し、且つ、移動設備は、アプリケーションサーバ中から、各取引サーバが対応する少なくともひとつの電子認証を取得する。続いて、取引サーバは、読取装置を利用して、自身が対応する実体商品データと電子認証を受信することにより、購買取引行為を完成すると共に、使用者に、ギフトフィードバックサービスを提供して、チラシクーポン券の製作コストを減少させる。【選択図】図１
2016126736.tif 000002
【特許請求の範囲】
【請求項１】
有利な取引システムであって、
世界各国各地の複数の実体商店の相関情報を保存する少なくともひとつの企業データベースと、
それぞれ、前記実体の商店相関情報に対応する実体の商店に対応し、それぞれ、読取装置を接続する複数の取引サーバと、
前記企業データベースに接続されると共に、前記取引サーバと信号接続するアプリケーションサーバ、および、
前記アプリケーションサーバと信号接続し、前記アプリケーションサーバに対応するアプリケーションプログラムを組み込んで、ディスプレイを有し、前記アプリケーションサーバが、前記アプリケーションプログラムを利用して、前記ディスプレイ上で、前記実体商店の相関情報を表示して、使用者に見せる少なくともひとつの移動設備と、を有し、
前記移動設備は、前記アプリケーションサーバ中から、各取引サーバが対応する少なくともひとつの電子認証を取得し、前記電子認証は、皆、前記アプリケーションサーバに対応し、
前記取引サーバは、自身が接続する前記読取装置を利用し、自身が対応する前記実体商店の相関情報が対応する実体商品データ、および、自身が対応する前記電子認証を読み取って、受信することにより、購買取引行為を完成し、又、読み取られた前記実体商品データと読み取られた前記電子認証に基づいて、前記使用者に対しギフトフィードバックサービスを提供することを特徴とする、
有利な取引システム。
【請求項２】
前記実体商品データは商品コード又はバーコードであることを特徴とする請求項１に記載の有利な取引システム。
【請求項３】
前記アプリケーションサーバは、前記アプリケーションプログラムを利用して、前記ディスプレイ上で、前記実体の商店の広告情報を表示することを特徴とする請求項１に記載の有利な取引システム。
【請求項４】
前記購買取引行為が対応する取引サーバは、支払金額を、前記アプリケーションサーバが対応するアカウントに保存することを特徴とする請求項１に記載の有利な取引システム。
【請求項５】
前記アプリケーションサーバは、前記アプリケーションプログラムを利用して、前記ディスプレイ上で、前記実体の商店の広告情報を表示することを特徴とする請求項４に記載の有利な取引システム。
【請求項６】
前記支払金額が高くなると、対応する前記広告情報がすべての前記広告情報中にあり、前記ディスプレイ上で表示される順番が前面になることを特徴とする請求項５に記載の有利な取引システム。
【請求項７】
前記移動設備は自己所在位置を検出し、前記アプリケーションサーバは、前記アプリケーションプログラムを利用して、前記位置を取得して、前記アプリケーションプログラムを利用して、前記ディスプレイ上で、前記位置に対応する前記実体商店の相関情報、および、表示された前記実体の商店相関情報に対応する前記実体の商店からこの位置までの交通方式を表示することを特徴とする請求項１に記載の有利な取引システム。
【請求項８】
前記購買取引行為が対応する前記取引サーバは、前記読み取られた前記実体商品データ、および、対応する前記電子認証を記録すると共に、この両者を、前記アプリケーションサーバに送信して分析して、少なくともひとつの処理動作を実行することを特徴とする請求項１に記載の有利な取引システム。
【請求項９】
前記処理動作は、前記アプリケーションサーバが、前記読み取られた前記実体商品データが対応する高度な実体商品を、前記アプリケーションプログラムを利用して、前記ディスプレイ上で表示することを特徴とする請求項８に記載の有利な取引システム。
【請求項１０】
前記処理動作は、前記アプリケーションサーバは、前記読み取られた前記実体商品データ、および、対応する前記電子認証に基づいて、分析報告を生成することを特徴とする請求項８に記載の有利な取引システム。
【請求項１１】
前記購買取引行為は、クレジットカード取引を利用するか、または、第三者オンライン決済プラットフォームにより取引することを特徴とする請求項１に記載の有利な取引システム。
【請求項１２】
前記移動設備は、前記アプリケーションプログラムを利用して、第一需要を前記アプリケーションサーバに発信して、前記アプリケーションサーバを駆動し、前記ディスプレイ上で、前記実体商店の相関情報を表示することを特徴とする請求項１に記載の有利な取引システム。
【請求項１３】
更に、個人データベースを含み、前記アプリケーションサーバを接続すると共に、前記使用者の個人データを保存し、前記アプリケーションサーバは、前記個人データに基づくと共に、前記アプリケーションプログラムを利用して、前記ディスプレイ上で、前記使用者に適合する前記実態の商店の相関情報を表示することを特徴とする請求項１に記載の有利な取引システム。
【請求項１４】
前記個人データは、前記使用者の姓名、国籍、性別、学歴、職業、婚姻状況、年収、家族構成、搭乗フライト、旅行日時、旅行目的地、宿泊地と通信アカウントを含むことを特徴とする請求項１３に記載の有利な取引システム。
【請求項１５】
前記移動設備は、前記アプリケーションプログラムを利用して、第二需要を前記アプリケーションサーバに発信し、前記アプリケーションサーバは、前記第二需要に基づいて、前記移動設備との間の即時通信チャネルを構築して、前記第二需要を満足させるサービスを提供し、前記即時通信チャネルの通信方式は、テキスト通信か音声通信であることを特徴とする請求項１に記載の有利な取引システム。
【請求項１６】
前記電子認証の数量が一つである時、前記電子認証は電子クーポンや電子会員認証で、前記電子認証の数量が二つである時、前記二つの電子認証は、電子クーポンと電子会員認証を含むことを特徴とする請求項１に記載の有利な取引システム。
【請求項１７】
前記移動設備は、ｉＰａｄ(登録商標)、ノート型パソコン、スマートフォンやタブレットＰＣであることを特徴とする請求項１に記載の有利な取引システム。
【請求項１８】
前記移動設備は、無線方式ルータにより、前記アプリケーションサーバと接続することを特徴とする請求項１に記載の有利な取引システム。
【請求項１９】
前記移動設備は、さらに、前記アプリケーションサーバ中から、対応する電子割引クーポンを取得して、前記使用者が前記実体商品データに対する実体商品を購買する価格が割引されるようにすることを特徴とする請求項１に記載の有利な取引システム。
【請求項２０】
前記ギフトフィードバックサービスは、前記取引サーバが、前記使用者が貯めたフィードバックポイントに対応し、前記使用者に使用してもらうサービスであることを特徴とする請求項１に記載の有利な取引システム。
【請求項２１】
アプリケーションサーバを利用して実行する有利な取引方法であって、
前記アプリケーションサーバは、少なくともひとつの企業データベースを接続すると共に、複数の取引サーバ、および、少なくともひとつの移動設備信号と接続し、前記の各取引サーバは読取装置を接続し、前記企業データベースは、世界各国各地の複数の実体商店の相関情報を保存し、前記実体商店の相関情報の実体の商店は、それぞれ、前記取引サーバに対応し、前記移動設備は、前記アプリケーションサーバに対応するアプリケーションプログラムを組み込み、前記移動設備はディスプレイを有し、前記有利な取引方法は、
前記アプリケーションサーバが、前記アプリケーションプログラムを利用して、前記ディスプレイ上で、前記実体商店の相関情報を表示して、前記移動設備の使用者に見せ、且つ、前記移動設備は、前記アプリケーションサーバ中から、前記の各取引サーバが対応する少なくともひとつの電子認証を取得し、前記電子認証が、皆、前記アプリケーションサーバに対応する工程、および、
前記取引サーバは、自身が接続する前記読取装置を利用して、自身が対応する前記実体商店の相関情報が対応する実体商品データ、および、自身が対応する前記電子認証を読み取って、受信することにより、購買取引行為を完成し、又、前記取引サーバは、読み取られた前記実体商品データと読み取られた前記電子認証に基づいて、前記使用者に対し、ギフトフィードバックサービスを提供する工程、を含むことを特徴とする、
有利な取引方法。
【請求項２２】
前記実体商品データは商品コード又はバーコードであることを特徴とする請求項２１に記載の有利な取引方法。
【請求項２３】
前記アプリケーションサーバが、前記アプリケーションプログラムを利用して、前記ディスプレイ上で、前記実体商店の相関情報を表示するステップ中、前記移動設備は自分の所在位置を検出し、前記アプリケーションサーバは、前記アプリケーションプログラムを利用して、前記位置を取得して、前記アプリケーションプログラムを利用して、前記ディスプレイ上で、顯示前記位置に対応する前記実体商店の相関情報、および、表示された前記実体の商店相関情報に対応する前記実体の商店からこの位置までの交通方式を表示することを特徴とする請求項２１に記載の有利な取引方法。
【請求項２４】
更に、商品を記録分析するステップを含み、前記購買取引行為が対応する前記取引サーバは、前記読み取られた前記実体商品データ、および、対応する前記電子認証を記録すると共に、この両者を前記アプリケーションサーバに送信して分析して、少なくともひとつの処理動作を実行することを特徴とする請求項２１に記載の有利な取引方法。
【請求項２５】
前記処理動作は、前記アプリケーションサーバが、前記読み取られた前記実体商品データが対応する高度な実体商品を、前記アプリケーションプログラムを利用して、前記ディスプレイ上で表示することを特徴とする請求項２４に記載の有利な取引方法。
【請求項２６】
前記処理動作は、前記アプリケーションサーバは、前記読み取られた前記実体商品データ、および、対応する前記電子認証に基づいて、分析報告を生成することを特徴とする請求項２４に記載の有利な取引方法。
【請求項２７】
前記購買取引行為は、クレジットカード取引を利用するか、または、第三者オンライン決済プラットフォームにより取引することを特徴とする請求項２１に記載の有利な取引方法。
【請求項２８】
前記アプリケーションサーバが、前記アプリケーションプログラムを利用して、前記ディスプレイ上で、前記実体商店の相関情報を表示するステップ中、前記移動設備は、前記アプリケーションプログラムを利用して、要求を前記アプリケーションサーバに発信して、前記アプリケーションサーバを駆動し、前記ディスプレイ上で、前記実体商店の相関情報を表示することを特徴とする請求項２１に記載の有利な取引方法。
【請求項２９】
前記アプリケーションサーバが、前記アプリケーションプログラムを利用して、前記ディスプレイ上で、前記実体商店の相関情報を表示するステップ中、前記アプリケーションサーバは、前記使用者の個人データに基づくと共に、前記アプリケーションプログラムを利用して、前記ディスプレイ上で、前記使用者に適合する前記実体商店の相関情報表示することを特徴とする請求項２１に記載の有利な取引方法。
【請求項３０】
前記個人データは、前記使用者の姓名、国籍、性別、学歴、職業、婚姻状況、年収、家族構成、搭乗フライト、旅行日時、旅行目的地、宿泊地と通信アカウントを含むことを特徴とする請求項２９に記載の有利な取引方法。
【請求項３１】
前記移動設備は、ｉＰａｄ、ノート型パソコン、スマートフォンやタブレットＰＣであることを特徴とする請求項２１に記載の有利な取引方法。
【請求項３２】
前記ギフトフィードバックサービスは、前記取引サーバが、前記使用者が貯めたフィードバックポイントに対応し、前記使用者に使用してもらうサービスであることを特徴とする請求項２１に記載の有利な取引方法。
【請求項３３】
前記電子認証の数量が一つである時、前記電子認証は電子クーポンや電子会員認証であり、前記電子認証の数量が二つである時、前記二つの電子認証は、電子クーポンと電子会員認証を含むことを特徴とする請求項２１に記載の有利な取引方法。
【発明の詳細な説明】
【技術分野】
【０００１】
本発明は、取引技術に関するものであって、特に、有利な取引システム、および、その取引方法に関するものである。
【背景技術】
【０００２】
科学技術の発展に伴い、企業と消費者の間の情報交流や連絡経路が増加している。よって、企業は、商品のマーケティングを成功させるため、一般に、大々的なマーケティング活動を行い、その多くが、チラシを消費者に配ったり、テレビやラジオ等の媒体を利用して、企業のマーケティング活動を推進している。新規でバーゲン等が開始される場合は、それらを新たに作り直す必要があるので、かかる時間やコストも増加する。
【０００３】
現在、メッセージや電子メールでクーポンを消費者に送信する方法もあるが、消費者にとっては、各種クーポンを携帯するのは面倒であり、必要でなければ、クーポンを切り取ったり、印刷したり、集めたりしない。
メッセージや電子メールの方法以外に、企業は、新規のバーゲン情報などのデータを準備し、消費者が消費するのと同時に、直接、その場で、クーポンを消費者に渡して、消費者がクーポンを集める面倒を解消している。しかし、どのような方式を採取しても、同様に、消費者も不便で、企業もコストが増加する。
【０００４】
よって、本発明は、有利な取引システム、および、その取引方法を提供して、問題を解決する。
【発明の概要】
【発明が解決しようとする課題】
【０００５】
本発明は、有利な取引システム、および、その取引方法を提供し、著名で信頼できる商店を提供して、特に魅力がある商品情報を選択してもらい、魅力のあるフィードバックを提供して、使用者の知らない場所での消費要求を満足させると同時に、電子クーポンを提供して、チラシクーポン券の製作コストを減少させることを主な目的とする。
【０００６】
本発明は、有利な取引システム、および、その取引方法を提供し、使用者が即時のサービスを必要とする時、ネットワークを通じ、直接、アプリケーションサーバと連絡することにより、必要な情報を得ることを次の目的とする。
【課題を解決するための手段】
【０００７】
上述の目的を達成するため、本発明は、有利な取引システムを提供し、本システムは、少なくともひとつの企業データベース、複数の取引サーバ、アプリケーションサーバ、および、少なくともひとつの移動設備を含む。各取引サーバは読取装置に接続される。企業データベースは、世界各国の複数の実体商店の相関情報を保存し、取引サーバは、それぞれ、すべての実体商店の相関情報が対応する実体の商店に対応し、アプリケーションサーバは、企業データベースと連結すると共に、取引サーバ、および、移動設備信号と接続する。移動設備は、アプリケーションに対応するアプリケーションプログラムを組み込んでいる。移動設備はディスプレイを有する。アプリケーションサーバは、アプリケーションプログラムを利用して、移動設備のディスプレイ上で、実体商店の相関情報を表示して、使用者に見せる。移動設備は、アプリケーションサーバから、各取引サーバが対応する電子認証を取得すると共に、すべての電子認証は皆、アプリケーションサーバに対応する。取引サーバは、自身が接続する読み取り装置を利用して、自身が対応する実態の商店の相関情報が対応する実体商品データ、および、自身が対応する電子認証を読み取って、受信することにより、購買取引行為を完成する。また、取引サーバは、読み取られた実体商品データと読み取られた電子認証に基づいて、使用者にギフトフィードバックサービスを提供する。このほか、移動設備は、アプリケーションプログラムを利用して、需要をアプリケーションサーバに発信し、アプリケーションサーバは、この需要に基づいて、移動設備との間の即時通信チャネルを構築して、この需要を満たすサービスを提供する。
【０００８】
本発明は、アプリケーションサーバを利用して実行される有利な取引方法を提供し、アプリケーションサーバは、少なくともひとつの企業データベースを連結すると共に、各取引サーバは読取装置を接続し、企業データベースは、世界各国の複数の実体商店の相関情報を保存し、すべての実体商店の相関情報の実体商店は、それぞれ、すべての取引サーバに対応し、移動設備は、アプリケーションサーバに対応するアプリケーションプログラムを組み込んで、移動設備はディスプレイを有する。まず、アプリケーションサーバは、アプリケーションプログラムを利用して、移動設備のディスプレイ上で、実体商店の相関情報を表示して、使用者に見せ、且つ、移動設備は、アプリケーションサーバから、各取引サーバが対応する電子認証を取得し、すべての電子クーポンは、皆、アプリケーションサーバに対応する。続いて、取引サーバは、自身が接続する読取装置を利用して、自身が対応する実体商店の相関情報が対応する実体商品データ、および、自身が対応する電子認証を読み取って、受信することにより、購買取引行為を完成する。また、取引サーバは、読み取られた実体商品データと読み取られた電子認証に基づいて、使用者に、ギフトフィードバックサービスを提供する。
【０００９】
上記及び他の目的及び本発明の特徴は、添付図面とともに以下の記載を参照することにより明らかとなる。
【発明の効果】
【００１０】
本発明は、移動設備のディスプレイ上で、自主的に、著名で信頼できる商店を提供して、特に魅力がある商品情報を選択してもらい、フィードバックを提供して、使用者の購買上の要求を満足させると同時に、電子認証を提供して、チラシクーポン券の製作コストを減少させる。
【図面の簡単な説明】
【００１１】
【図１】本発明のシステムブロック図である。
【図２】本発明の第一実施例のフローチャートである。
【図３】本発明の第二実施例のフローチャートである。
【発明を実施するための形態】
【００１２】
図１と図２を参照して、本発明の第一実施例を説明する。本発明の有利な取引システムは、少なくともひとつの企業データベース１０、複数の取引サーバ１２、アプリケーションサーバ１４、少なくともひとつの移動設備（ｍｏｂｉｌｅ  ｄｅｖｉｃｅ）１６、および、個人データベース１８を含む。
企業データベース１０と移動設備１６の数量は、どちらも例であり、移動設備１６は、ディスプレイを有するユーザー装置、たとえば、ｉＰａｄ(登録商標)、ノート型パソコン、ウェアラブルデバイス、スマートフォン、または、タブレットＰＣで、各取引サーバ１２は、読取装置１３を接続する。アプリケーションサーバ１４は、企業データベース１０と個人データベース１８を接続すると共に、すべての取引サーバ１２、および、移動設備１６信号と接続され、アプリケーションサーバ１４は、無線方式ルータにより、移動設備１６信号と接続し、あるいは、直接、移動設備と１６信号接続し、無線方式ルータを通じなくてもよい。この無線方式ルータの使用は、無料、または、有料である。
企業データベース１０は、世界各国の複数の実体商店の相関情報を保存し、すべての取引サーバ１２は、それぞれ、すべての実体商店の相関情報が対応する実体の商店に対応する。個人データベース１８は、移動設備１６が属する使用者の個人データ、使用者の姓名、国籍、性別、学歴、職業、婚姻状況、年収、家族構成、搭乗フライト、旅行日時、旅行目的地、宿泊地と通信アカウント等を含み、通信アカウントは、ＬＩＮＥ(登録商標)、ＷＥＣＨＡＴ(登録商標)、ＷＨＡＴＳＡＰＰ(登録商標)、ＦＡＣＥＢＯＯＫ(登録商標)、ＱＱ、ツイッター(登録商標)、ＳＫＹＰＥ(登録商標)とＩＣＱ(登録商標)等である。
【００１３】
移動設備１６は、アプリケーションサーバ１４に対応するアプリケーションプログラムを組み込んでいて、アプリケーションサーバ１４は、アプリケーションプログラムを利用して、移動設備１６のディスプレイ上で、すべての実体の商店の広告情報を表示すると共に、設定にしたがって、広告情報の表示順序を調整する。このほか、アプリケーションサーバ１４は、さらに、アプリケーションプログラムを利用して、移動設備１６のディスプレイ上で、実体商店の相関情報、たとえば、著名で信頼できる商店を表示して、使用者に見せる。この実体商店の相関情報の表示方式は以下のようである。
一つ目は、移動設備１６が自分の所在位置を検出し、アプリケーションサーバ１４は、自主的に、アプリケーションプログラムを利用して、この位置を取得して、アプリケーションプログラムを用いて、移動設備１６のディスプレイ上で、この位置に対応する実体の商店相関情報、および、表示された実体の商店相関情報に対応する実体の商店からこの位置までの交通方式を示す。
二つ目は、アプリケーションサーバ１４が、使用者の個人データに基づくと共に、アプリケーションプログラムを用いて、自主的に、移動設備１６のディスプレイ上で、使用者に適合する実体商店の相関情報を示す。
三つ目に、移動設備１６は、アプリケーションプログラムを用いて、第一需要を、アプリケーションサーバ１４に発信して、アプリケーションサーバ１４を駆動し、移動設備１６のディスプレイ上で、実体商店の相関情報を表示する。
【００１４】
移動設備１６は、アプリケーションサーバ１４中から、各取引サーバ１２が対応する少なくともひとつの電子認証を取得し、すべての電子認証はみな、アプリケーションサーバ１４に対応する。この少なくともひとつの電子認証の数量が一である時、これは、電子クーポンや電子会員認証で、少なくともひとつの電子認証の数量が二である時、これは、電子クーポンと電子会員認証を含む。
取引サーバ１２は、自身が接続する読取装置１３を利用して、自身が対応する実体商店の相関情報が対応する実体商品データ、および、自身が対応する電子認証を読み取って、受信することにより、購買取引行為を完成する。この実体商品データは、特に魅力がなければならず、実体商品データは商品コードやバーコードである。購買取引行為は、現金取引、クレジットカード取引を利用する、または、第三者オンライン決済プラットフォームにより取引する。さらに、移動設備１６は、更に、アプリケーションサーバ１４中から、対応する電子割引クーポンを取得して、使用者が実体商品データに対する実体商品を購買する価格が割引されるようにする。
【００１５】
このほか、取引サーバ１２が特定条件で、購買取引行為を完成後、この特定条件、例えば、実体商品の消費数量が予期量に到達すると、購買取引行為が対応する取引サーバ１２、即ち、購買取引行為を完成した取引サーバ１２は、支払金額を、アプリケーションサーバ１４が対応するアカウントに保存する。アプリケーションサーバ１４は、自身の設定によって、広告情報の表示順序を調整する以外に、アプリケーションサーバ１４が、アプリケーションプログラムを利用して、移動設備１６のディスプレイ上で、すべての実体の商店の広告情報を表示することができる時、支払金額が高くなるほど、対応する広告情報がすべての第一広告情報中にあり、移動設備１６のディスプレイ上で表示される順序が前面になる。あるいは、すべての取引サーバ１２が対応する実体の商店が、アプリケーションサーバ１４が対応するアカウントの広告費を渡している場合、アプリケーションサーバ１４は、すべての実体の商店の広告情報を、移動設備１６のディスプレイ上で表示し、広告費が高くなるほど、広告情報表示の順序が前面になる。つまり、某実体の商店が、アプリケーションサーバ１４が対応するアカウントに渡す金額が高くなるほど、アプリケーションサーバ１４が協賛する実体の商店の広告露出率が高くなる。
【００１６】
取引サーバ１２は金額を支払う他、購買取引行為を完成する取引サーバ１２は、読み取られた実体商品データと読み取られた電子認証に基づいて、使用者に、ギフトフィードバックサービスを提供する。たとえば、取引サーバ１２は、使用者が貯めたポイントに応じて、商品に交換、景品に交換、電子クーポン券進呈や抽選を行い、クーポン券を製作するコストを減少させる。消費促進のため、購買取引行為が対応する取引サーバ１２、すなわち、購買取引行為が完成した取引サーバ１２は、読み取られた実体商品データ、および、対応する電子認証を記録すると共に、一定時間後、この両者をアプリケーションサーバ１４に送信して分析して、少なくともひとつの処理動作を実行する。
この処理動作の数量が二つの場合を例とすると、一つの処理動作は、アプリケーションサーバ１４が、読み取られた実体商品データが対応する高度な実体商品を、アプリケーションプログラムを用いて、移動設備１６のディスプレイ上で表示して、使用者は、インターネット上で、注文できる。もうひとつの処理動作は、アプリケーションサーバ１４が、読み取られた実体商品データ、および、対応する電子認証に基づいて、分析報告を生成する。
【００１７】
このほか、移動設備１６は、アプリケーションプログラムを利用して、第二需要を、アプリケーションサーバ１４に発信し、アプリケーションサーバ１４は、第二需要に基づいて、移動設備１６との間の即時通信チャネルを構築し、その通信方式は、テキスト通信か音声通信で、第二需要を満たす専属サービスを提供する。これにより、使用者が即時のサービスを必要とする時、ネットワークにより、直接、アプリケーションサーバ１４とのホットラインにより、必要なメッセージを得る。
【００１８】
以下で、第一実施例の消費工程を紹介する。まず、ステップＳ１０に示されるように、アプリケーションサーバ１４は、アプリケーションプログラムを利用して、移動設備１６のディスプレイ上で、実体商店の相関情報を表示して、移動設備１６が属する使用者に見せ、且つ、移動設備１６は、アプリケーションサーバ１４中から、各取引サーバ１２が対応する電子認証を得る。移動設備１６のディスプレイ上で、実体商店の相関情報を表示する方式は、アプリケーションサーバ１４により、自主的に、情報を、移動設備１６に提供して表示するもの、移動設備１６は、需要をアプリケーションサーバ１４に発信して、アプリケーションサーバ１４に、さらに、情報を移動設備１６に提供して表示させるものがあり、以下で説明する。
第一種の表示方式では、移動設備１６は、自己所在位置を検出することができ、アプリケーションサーバ１４は、自主的に、アプリケーションプログラムを利用して、この位置を取得して、アプリケーションプログラムを利用して、移動設備１６のディスプレイ上で、この位置に対応する実体の商店相関情報、および、表示される実体の商店相関情報が対応する実体の商店からこの位置までの交通方式を表示する。この交通方式は、たとえば、バス路線、汽車路線、地下鉄路線や飛行機のフライト等である。アプリケーションサーバ１４は、すでに、移動設備１６の現在の所在位置、および、移動設備１６を携帯する使用者が到達したい実体の商店の位置を知っているので、もっとも便利である、または、最短経路や方式を移動設備１６に正確に提供することができ、このほか、即時通信チャネルと合わせて、専属スタッフによりサービスを組み合わせて、使用者の交通上の困難を解決する。
第二種の表示方式では、アプリケーションサーバ１４は、使用者の個人データに基づくと共に、アプリケーションプログラムを利用して、自主的に、移動設備１６のディスプレイ上で、使用者に適する実体商店の相関情報を表示することができる。たとえば、使用者が女性であるとき、アプリケーションサーバ１４は、ディスプレイで、女性に適合する実体商店の相関情報を表示し、使用者が男性であるとき、アプリケーションサーバ１４は、ディスプレイで、男性に適合する実体商店の相関情報を表示することができる。
第三種の表示方式では、使用者は、移動設備１６を操作して、アプリケーションプログラムを利用して、第一需要を、アプリケーションサーバ１４に発信して、アプリケーションサーバ１４を駆動して、移動設備１６のディスプレイ上で、実体の商店相関情報を表示する。
【００１９】
続いて、ステップＳ１２に示されるように、取引サーバ１２は、自身が接続する読み取り装置１３を利用して、自身が対応する実体商店の相関情報が対応する実体商品データ、および、自身が対応する電子認証を読み取って、受信することにより、購買取引行為を完成し、且つ、購買取引行為の取引サーバ１２は、読み取られた実体商品データと読み取られた電子認証に基づいて、使用者に対し、ギフトフィードバックサービスを提供する。
購買取引行為は、使用者が、現金取引、クレジットカード取引を利用、または、第三者オンライン決済プラットフォームを通じて、商品費用を、割引価格で、取引サーバ１２が対応するアカウント中に保存する。電子認証が電子クーポン券であるとき、これは、自身が対応する実体商店中のすべての商品に対し、割り引き価格を提供する。
たとえば、使用者が、移動設備１６のディスプレイ上の実体商店相関情報を見た後、対応する実体商店を探して進入すると共に、実体商店中で、購買したい実体商品を見て、読み取り装置１３を操作して、この実体商品の実体商品データと移動設備１６中のこの実体商店と対応する電子認証を読み取り、且つ、取引サーバ１２に送信して、購買取引行為を完成する。同時に、取引サーバ１２は、読み取られた実体商品データと読み取られた電子認証に基づいて、使用者に対し、ギフトフィードバックサービスを提供する。
【００２０】
最後に、ステップＳ１４に示されるように、商品を記録分析するステップにおいて、購買取引行為は対応する取引サーバ１２、即ち、購買取引行為を完成した取引サーバ１２は、読み取られた実体商品データ、および、対応する電子認証を記録すると共に、一定時間後、この両者をアプリケーションサーバ１４に送信して分析して、二つの処理動作を実行する。
一つの処理動作は、アプリケーションサーバ１４が、読み取られた実体商品データが対応する高度な実体商品を、アプリケーションプログラムを用いて、移動設備１６のディスプレイ上で表示して、使用者は、インターネット上で、注文でき、且つ、注文後、専属スタッフにより、注文した実体商品を使用者の指定地点に送ることもできる。
もうひとつの処理動作は、アプリケーションサーバ１４が、読み取られた実体商品データ、および、対応する電子認証に基づいて、分析報告を生成する。
アプリケーションサーバ１４が受信した電子認証は、某使用者の移動設備１６から来たものなので、受信した電子認証もこの使用者に属し、アプリケーションサーバ１４は、個人データベース１８で、この使用者の個人データを探し出すことができると共に、対応する実体商品データとの分析を実行して、上述の分析報告を生成する。この分析報告の内容は、ある年齢層の女性や男性が、特定季節に、ある価格範囲で、ある商品を購入した等の情報を含む。このほか、上述のステップＳ１４中、二つの処理動作は、同時に進行しても、ひとつを選択して進行してもよい。
【００２１】
このほか、本発明は、さらに、第二実施例を提供し、第一実施例と相同のシステム機構を有するが、図３に示されるように、取引工程で、ステップＳ１４が少なく、同様に、本発明の目的を達成できる。
【００２２】
総合すると、本発明は、移動設備のディスプレイ上で、自主的に、著名で信頼できる商店を提供して、特に魅力がある商品情報を選択してもらい、フィードバックを提供して、使用者の購買上の要求を満足させると同時に、電子認証を提供して、チラシクーポン券の製作コストを減少させる。
【符号の説明】
【００２３】
１０  企業データベース
１２  取引サーバ
１３  読取装置
１４  アプリケーションサーバ
１６  移動設備
１８  個人データベース
【図１】
2016126736.tif 000003
【図２】
2016126736.tif 000004
【図３】
2016126736.tif 000005